(57)【特許請求の範囲】
【請求項１】
容器１と噴霧器１０を組み合わせた農薬散布装置であって、
前記噴霧器１０は、容器１に着脱自在に連結される本体部１１と、この本体部１１に往復動自在に設けた手動操作部１２と、前記本体部１１に設けた噴霧部１３を備え、
前記本体部１１は、前記手動操作部１２が一方向に移動することで容積が減少し、他方向に移動することで容積が増加する第１室２０と、
この第１室２０と連通し、前記手動操作部１２が一方向に移動することで容積が増加し、他方向に移動することで容積が減少する第２室２１と、
この第２室２１を前記噴霧部１３に連通する噴出孔２２を有し、
前記第１室２０は吸込弁２４を介して前記容器１内に連通し、この第１室２０の断面積は第２室２１の断面積よりも大きく構成し、
前記噴霧器１０は、前記手動操作部１２が一方向に移動することで、第１室２０内の農薬が第２室２１内に流入し、かつ第２室２１内の農薬が噴出孔２２を通って噴霧部１３から噴霧し、前記手動操作部１２が他方向に移動することで、容器１内の農薬が第１室２０内に吸い込まれ、かつ第２室２１内の農薬が噴出孔２２を通って噴霧部１３から噴霧する手動式往復連続噴霧タイプであることを特徴とする農薬散布装置。
【請求項２】
外側パイプ３０内のシリンダー３２内に、中空形状の杆体３３を有するピストン３４を摺動自在に嵌挿して第１室２０と第２室２１を形成し、前記杆体３３の中空部３３ａとピストン３４の孔３４ａとに亘って内側パイプ３６を挿入し、この内側パイプ３６を噴霧部１３に連通して、当該内側パイプ３６内を噴出孔２２とし、
前記ピストン３４の孔３４ａと杆体３３との間の隙間、前記杆体３３の中空部３３ａと内側パイプ３６との間の隙間、前記杆体３３に形成した孔３８で、前記第１室２０と第２室２１を連通し、第２室２１を噴出孔２２に連通し、
前記杆体３３に手動操作部１２を設けた請求項１記載の農薬散布装置。
【請求項３】
本体部１１に把持部１４を設けた請求項１又は２記載の農薬散布装置。
【請求項４】
本体部１１に、容器１の底部４を支持する容器支持部４０を設けた請求項１又は２又は３記載の農薬散布装置。
【請求項５】
容器支持部４０は本体部１１に対して容器１に向けて上下動可能である請求項４記載の農薬散布装置。
【発明の詳細な説明】
【０００１】
【発明の属する技術分野】
本発明は、主として住宅の庭や家庭菜園に、殺虫剤、殺菌剤、除草剤、肥料、植物活力剤等の農薬を散布する農薬散布装置に関する。
【０００２】
【従来の技術】
農薬散布装置として肩掛け式電動スプレーが知られている。
この肩掛け式電動スプレーは大量に手早く農薬を散布でき、主として農業専門者が農地に農薬を散布するのに用いられる。
前述の肩掛け式電動スプレーは電池や電源が必要であると共に、高価であるから、住宅の庭や家庭菜園に一般の人が農薬を散布するのに用いることは価格や取り扱いの面などから不向きである。
【０００３】
一般の人が住宅の庭や家庭菜園に農薬を散布するのに用いる農薬散布装置としては、取り扱いが容易であるハンドスプレー、エアゾールが知られている。
しかし、このハンドスプレー、エアゾールは、容器内に目的に応じた効力の農薬を入れたもの、例えば容器内に殺虫剤を入れた殺虫用ハンドスプレー、エアゾール、容器内に殺菌剤を入れた殺菌用ハンドスプレー、エアゾールなどであり、目的に応じた種類のハンドスプレー、エアゾールが必要で、結局は高価である。
また、エアゾールは容器内にガスが充填してあるので、使用後に廃棄する際に注意する必要がある。
【０００４】
【発明が解決しようとする課題】
前述のことから、容器と噴霧器を組み合わせ、その容器内に目的とする効力を有する農薬を入れ、その噴霧器から農薬を噴霧して散布することが種々提案されている。
例えば、特開平１０−１６５８５６号公報に示されたように、容器に噴霧器を連結し、その容器内に自転車用の空気ポンプで空気を送ることで高圧とし、噴霧量調整部を操作して容器内の液体を噴霧するものが提案されている。
特開平１１−１２８７８９号公報に示されたように、容器に電動式の噴霧器を連結し、スイッチを押すことで容器内の液体を噴霧するものが提案されている。
【０００５】
特開平１０−１６５８５６号公報に示されたものを用いて農薬を散布するには、自転車用の空気ポンプで空気を送ることで高圧として液体を噴霧するので、自転車用の空気ポンプを必要とすると共に、その空気ポンプを操作しなければならず取り扱いが面倒である。しかも、噴霧量調整部を手で操作するので農薬が手に触れる恐れがある。
このために、住宅の庭や家庭菜園に農薬を散布するには適さない。
特開平１１−１２８７８９号公報に示す噴霧器は、電池と電動モータを有するから、電池の寿命がなくなれば農薬を散布できないし、電動モータと電池のために高価である。
このために、住宅の庭や家庭菜園に農薬を散布するには適さない。
【０００６】
本発明は、前述の課題に鑑みなされたものであり、その目的は、住宅の庭や家庭菜園に農薬を散布するのに好適で、しかも取り扱いが容易で、短時間に大量の農薬を散布できること、価格が安いことを、人の手に農薬が触れることがないことを満足した農薬散布装置を提供することを目的とする。
【０００７】
【課題を解決するための手段】
第１の発明は、容器１と噴霧器１０を組み合わせた農薬散布装置であって、
前記噴霧器１０は、容器１に着脱自在に連結される本体部１１と、この本体部１１に往復動自在に設けた手動操作部１２と、前記本体部１１に設けた噴霧部１３を備え、
前記本体部１１は、前記手動操作部１２が一方向に移動することで容積が減少し、他方向に移動することで容積が増加する第１室２０と、
この第１室２０と連通し、前記手動操作部１２が一方向に移動することで容積が増加し、他方向に移動することで容積が減少する第２室２１と、
この第２室２１を前記噴霧部１３に連通する噴出孔２２を有し、
前記第１室２０は吸込弁２４を介して前記容器１内に連通し、この第１室２０の断面積は第２室２１の断面積よりも大きく構成し、
前記噴霧器１０は、前記手動操作部１２が一方向に移動することで、第１室２０内の農薬が第２室２１内に流入し、かつ第２室２１内の農薬が噴出孔２２を通って噴霧部１３から噴霧し、前記手動操作部１２が他方向に移動することで、容器１内の農薬が第１室２０内に吸い込まれ、かつ第２室２１内の農薬が噴出孔２２を通って噴霧部１３から噴霧する手動式往復連続噴霧タイプであることを特徴とする農薬散布装置である。
【０００８】
第２の発明は、第１の発明において、外側パイプ３０内のシリンダー３２内に、中空形状の杆体３３を有するピストン３４を摺動自在に嵌挿して第１室２０と第２室２１を形成し、前記杆体３３の中空部３３ａとピストン３４の孔３４ａとに亘って内側パイプ３６を挿入し、この内側パイプ３６を噴霧部１３に連通して、当該内側パイプ３６内を噴出孔２２とし、
前記ピストン３４の孔３４ａと杆体３３との間の隙間、前記杆体３３の中空部３３ａと内側パイプ３６との間の隙間、前記杆体３３に形成した孔３８で、前記第１室２０と第２室２１を連通し、第２室２１を噴出孔２２に連通し、
前記杆体３３に手動操作部１２を設けた農薬散布装置である。
【０００９】
第３の発明は、第１又は第２の発明において、本体部１１に把持部１４を設けた農薬散布装置である。
【００１０】
第４の発明は、第１又は第２又は第３の発明において、本体部１１に、容器１の底部４を支持する容器支持部４０を設けた農薬散布装置である。
【００１１】
第５の発明は、第４の発明において、容器支持部４０は本体部１１に対して容器１に向けて上下動可能である農薬散布装置である。
【００１３】
【作用】
第１の発明によれば、容器１に農薬を入れ、噴霧器１０を連結した状態で、一方の手で容器１又は本体部１１を持ち、他方の手で手動操作部１２を一方向、他方向に移動操作、つまり、往復動操作することで、容器１内の農薬を連続して噴霧部１３から噴霧できる。
よって、人が手で持って農薬を噴霧できるから、住宅の庭や家庭菜園に農薬を一人で散布できる。
【００１４】
また、一方の手で容器１又は本体部１１を持ち、他方の手で手動操作部１２を操作すれば良く、取り扱いが容易である。
また、手動操作部１２を一方向に移動操作、つまり往動操作した時でも他方向に移動操作、つまり復動操作した時でも農薬が噴霧されるので、短時間に大量の農薬を散布できる。
また、市販のペットボトルを容器１として使用できるので、目的に応じて効力の異なる農薬を散布する場合には、先に使用したペットボトルを捨て、新しいペットボトルを使用すればよいので、容器の洗浄や複数の容器を準備する必要がない。
また、手動操作部１２を手動操作することで農薬を噴霧するので、電池や電動モータが不要で価格が安い。しかも、噴霧した農薬が人の手に触れることがない。
【００１５】
第２の発明によれば、手動操作部１２によって杆体３３を一方向に移動することでピストン３４が一方向に摺動して第１室２０の容積が減少し、第２室２１内の容積が増加し、第１室２１内の農薬が隙間、孔３８を通って第２室２１内に流入し、その第２室２１内の農薬が内側パイプ３６を通って噴霧部１３から噴出される。
前記手動操作部１２によって杆体３３を他方向に移動することでピストン３４が他方向に摺動して第１室２０の容積が増大して容器１内の農薬が第１室２０に吸い込みされ、第２室２１の容積が減少し、その第２室２１内の農薬が内側パイプ３６を通って噴霧部１３から噴霧される。
【００１６】
第３の発明によれば、一方の手で把持部１４を把持し、他方の手で手動操作部１２を操作すれば良く、取り扱いがより一層容易である。
【００１７】
第４の発明によれば、大容量の容器１でもしっかりと支持して持ち運びができる。
【００１８】
第５の発明によれば、容器支持部４０を容器１の高さに応じて移動できるので、高さの異なる容器１をしっかりと支持して持ち運びできる。
【００１９】
【発明の実施の形態】
図１に示すように、容器１と、噴霧器１０を組み合わせて農薬散布装置とする。
前記容器１としては、飲料水などを入れて市販され、その内部の飲料水などを利用した残りのペットボトル（以下市販のペットボトルという）が利用できる。
前記噴霧器１０は、本体部１１と、この本体部１１に往復動自在に設けた手動操作部１２と、噴霧部１３を備え、本体部１１に対して手動操作部１２を往動した時（例えば、矢印ａ方向に押した時）及び復動した時（例えば、矢印ｂ方向に引いた時）にそれぞれ噴霧部１３から容器１内の農薬を噴霧する手動式往復連続噴霧タイプである。
前記本体部１１には把持部１４が設けてある。
【００２０】
このようであるから、容器１、例えば市販のペットボトルに目的に応じた効力の農薬を入れ、このペットボトルに噴霧器１０を連結する。
把持部１４を一方の手で持ち、他方の手で手動操作部１２を往復移動することで、ペットボトル内の農薬を連続して噴霧部１３から噴霧する。
よって、人が手で持ち歩行しながら住宅の庭や家庭菜園に農薬を散布することができる。
【００２１】
次に、噴霧器１０の形態を図１と図２に基づいて説明する。
本体部１１は第１室２０と第２室２１と噴出孔２２と容器連結部２３を有し、その第１室２０と第２室２１と噴出孔２２は相互に連通している。第１室２０の断面積が第２室２１の断面積よりも大きい。
第１室２０は吸込弁２４を介して吸込管２５に連通し、噴出孔２２が噴霧部１３に連通している。
前記容器連結部２３に容器１が連結され、その容器１内に吸込管２５が入り込む。
手動操作部１２を往復移動操作すると第１室２０と第２室２１の一方の容積が増大し、他方の容積が減少すると共に、第１室２０と第２室２１に常に液体（農薬）が満たされるようにしてある。
【００２２】
このようであるから、手動操作部１２を一方向（例えば矢印ａ方向）に操作して第１室２０の容積を減少し、第２室２１の容積を増加すると、第１室２０内の農薬の一部が第２室２１に流入し、残りの農薬が噴出孔２２を通って噴霧部１３から噴霧される。
手動操作部１２を他方向（例えば矢印ｂ方向）に操作して第１室２０の容積を増加し、第２室２１の容積を減少すると、容器１内の農薬が吸込管２５、吸込弁２４を通って第１室２０内に吸い込まれる。
第２室２１内の農薬は噴出孔２２を通って噴霧部１３から噴霧される。
【００２３】
このように、手動操作部１２を往復移動操作した時に農薬を連続して噴霧できるから、短時間に多量の農薬を噴霧できる。
また、１つの吸込弁２４を設ければ良い。
【００２４】
次に噴霧器１０の具体形状を図１〜図３に基づいて説明する。
外側パイプ３０内に隔壁３１を固着してシリンダー孔３２を形成する。
このシリンダー孔３２内に杆体３３を有するピストン３４が摺動自在に嵌挿されて前述の第１室２０と第２室２１を形成している。
前記杆体３３が外側パイプ３０に螺合したキャップ３０ａから突出し、その突出した端部に握り杆３５が固着されて前述の手動操作部１２を形成している。
前記杆体３３は中空形状で、この中空部３３ａとピストン３４の孔３４ａとに亘って内側パイプ３６が挿入され、杆体３３、ピストン３４は内側パイプ３６に沿って摺動自在である。この内側パイプ３６は隔壁３１を貫通してシリンダー孔３２よりも外方に突出し、その突出した部分に噴霧部１３が設けてある。これにより、内側パイプ３６が噴出孔２２を形成する。
前記内側パイプ３６の外周面と前記中空部３３ａ、孔３４ａとの間には隙間３７があり、この隙間３７で第１室２０と内側パイプ３６内部が連通している。前記杆体３３に形成した孔３８と前記隙間３７で第１室２０と第２室２１が連通すると共に、第２室２１が内側パイプ３６内部に連通している。
【００２５】
前記隙間３７とは、内側パイプ３６の外周面と中空部３３ａ、孔３４ａとの間をシール材などで水密しないことで形成されている。
また、前記第１室２０の断面積は、シリンダー孔３２の断面積−内側パイプ３６の断面積で、第２室２１の断面積は、シリンダー孔３２の断面積−杆体３３の断面積である。
【００２６】
前記容器連結部２３は、外側パイプ３０に嵌合して取付けられ、雌ねじ部３９を有する。
この雌ねじ部３９は容器１の口部２の雄ねじ部３が螺合するものである。例えば、前述のペットボトルの口部の雄ねじ部が螺合するものである。
前記吸込弁２４は容器連結部２３に取付けられ、外側パイプ３０の孔３０ｂから第１室２０に連通している。この吸込弁２４は第１室２０から吸込管２５には液体が流れないが、吸込管２５から第１室２０に液体が流通するものである。
前記吸込管２５は樹脂製のチューブ、金属製のパイプなどで、その先端部にフィルター２５ａが取付けてある。
このようであるから、吸込管２５が容器１内に突出し、底部の農薬を吸い込みできる。
また、吸込管２５の長さを変えることで大きさ（長さ）の異なる容器に対応できる。
【００２７】
前記噴霧部１３は、外側パイプ３０の先端部に固着した内側筒１３ａと、この内側筒１３ａに螺合した外側筒１３ｂを備え、この内側筒１３ａ内に内側パイプ３６の先端部が嵌合して液密されている。
前記内側パイプ３６内に流通した農薬は、内側筒１３ａの孔１３ｃ、内側筒１３ａと外側筒１３ｂとの間を通って噴口１３ｄから噴霧される。
前記外側筒１３ｂを回転することで噴霧される農薬の噴霧形状を変更できる。
前記把持部１４は筒体１４ａを外側パイプ３０に嵌合して取付けてある。
【００２８】
前述のようであるから、容器連結部２３の雌ねじ部３９を容器１の口部２の雄ねじ部３に螺合することで噴霧器１０が容器１に連結される。
この状態で、一方の手で把持部１４を把持し、他方の手で手動操作部１２（握り杆３５）を握って押すことで、杆体３３を矢印ａ方向に押すと第１室２０の容積が減少し、第２室２１の容積が増加する。
第１室２０内の農薬は吸込弁２４で吸込管２５に流れないので、その農薬の一部は隙間３７、孔３８を通って第２室２１に流入すると共に、残りの農薬は隙間３７を通って内側パイプ３６内に圧送され、噴霧部１３から噴霧される。第２室２１内には農薬が充満している。
【００２９】
また、手動操作部１２（握り杆３５）を握って引くことで、杆体３３を矢印ｂ方向に引張ると第１室２０の容積が増加し、第２室２１の容積が減少する。
吸込管２５、吸込弁２４を通して第１室２０内に農薬が吸い込まれ、第２室２１内の農薬は孔３８、隙間３７を通って内側パイプ３６内に流れ、噴霧部１３から噴霧される。
つまり、第１室２０の容積が第２室２１の容積よりも大きいので、杆体３３の矢印ｂ方向のストロークに対する第１室２０内の容積変化が第２室２１の容積変化よりも大きく、第１室２０内に多量の農薬が吸い込まれるから、第２室２１内の農薬は第１室２０内に流入せずに内側パイプ３６内に流れる。
【００３０】
次に、第２の実施の形態を説明する。
図４と図５に示すように、本体部１１、例えば把持部１４に容器支持部４０を取付け、この容器支持部４０で容器１の底部４を支持するようにする。
このようにすれば、容器１の上部（口部２）と下部（底部４）が噴霧器１０に支持連結されて両者が一体的となるので、大容量の容器１でもしかりと保持することができる。
【００３１】
前記容器支持部４０は、支持部材４１と縦杆４２を備え、その縦杆４２を把持部１４に取付けてあると共に、縦杆４２は伸縮自在である。
例えば、中空形状で、下端寄りにスリット４３とねじ部４４を有する上部杆４５を把持部１４に固着し、そのねじ部４４にナット４６を螺合する。この上部杆４５に下部杆４７を摺動自在に挿入し、前記ナット４６を締付けると上部杆４５が下部杆４７に締め付け固定されて上部杆４５と下部杆４７が一体的に連結され、ナット４６を弛めると下部杆４７が上部杆４５に沿ってスライド可能となる。
このようであるから、容器支持部４０は本体部１１に対して上下動可能で、高さの異なる容器１を支持できる。
【００３２】
前記支持部材４１は下部杆４７に固着されていると共に漏斗形状の凹陥部４８を有し、図５に一点鎖線で示すように小径の容器１、二点鎖線で示すように大径の容器１でも、その底部４をしっかりと支持できる。
【００３３】
また、把持部１４に容器支持部４０を取付けたことにより、容器１の重量を容器支持部４０を介して把持部１４で支持でき、全体をバランス良く把持できる。
【００３４】
次に、本発明の第３の実施の形態を図６と図７に基づき説明する。
この実施の形態は容器連結部２３が、容器１を横向き（外側パイプ３０とほぼ平行）に取付ける形態であること、及び複数の容器１を連結できる形態であることが第１の実施の形態と相違し、他の構成は同様である。
容器連結部２３は、外側パイプ３０（本体部１１）に取付けられる筒体５０と、この筒体５０に固着した縦向筒体５１と、この縦向筒体５１に固着した横向筒体５２と、この横向筒体５２に設けた複数の横向きの雌ねじ部３９を備えている。
前記縦向筒体５１が筒体５０に設けた吸込弁２４に開口し、この縦向筒体５１と横向筒体５２と各雌ねじ部３９がそれぞれ連通する。
【００３５】
この場合には容器１が横向きであるから、容器１内の農薬が雌ねじ部３９、横向筒体５２を通って縦向筒体５１内に流れ込むので、吸込管２５を設けなくとも良い。
前記吸込管２５を設ける場合には、その吸込管２５の他端部を複数の分枝し、その分枝した部分を各容器１内に入れる。
【００３６】
このようにすれば、容器１が横向きとなるので、全体のバランスが良く、本体部１１を持ち易い、例えば把持部１４を把持し易い。
しかも、本体部１１と容器１がほぼ平行で横向きとなるから、外観の見栄えが良い。
また、複数の容器１を連結できるから、各容器１に異なる役目の薬剤を注入することで、異なる役目の薬剤を混合して噴霧することができる。
【００３７】
なお、横向きの雌ねじ部３９を１つとして１つの容器１を横向きに連結できるようにしても良い。
また、雌ねじ部３９を縦向きとすると共に、複数形成し、複数の容器１を縦向きに連結できるようにしても良い。
【００３８】
前記各実施の形態では容器１として市販のペットボトルを利用したが、これに限ることはなく専用の容器を用いても良い。
また、手動操作部１２はトリガータイプとしても良い。
この場合には、把持部１４の近くに手動操作部１２を位置させ、把持部１４を片手で持ちながら手動操作部１２を操作できるようにすることが好ましい。
また、手動式往復噴霧タイプの噴霧器は前述の形態に限ることはなく、任意の形態のものが使用できる。
前記本体部１１に把持部１４を設けずに、容器１又は本体部１１を一方の手で持つようにしても良い。
【００４０】
【発明の効果】
請求項１に係る発明によれば、容器１に農薬を入れ、噴霧器１０を連結した状態で、一方の手で容器１又は本体部１１を把持し、他方の手で手動操作部１２を一方向、他方向に移動操作、つまり往復動操作することで、容器１内の農薬を連続して噴霧部１３から噴霧できる。
よって、人が手で持って農薬を噴霧できるから、住宅の庭や家庭菜園に農薬を一人で散布できる。
【００４１】
また、一方の手で容器１又は本体部１１を把持し、他方の手で手動操作部１２を操作すれば良く、取り扱いが容易である。
また、手動操作部１２を一方向に移動操作、つまり往動操作した時でも他方向に移動操作、つまり復動操作した時でも農薬が噴霧されるので、短時間に大量の農薬を散布できる。
また、市販のペットボトルを容器１として使用でき、目的に応じて効力の異なる農薬を散布する場合には、先に使用したペットボトルを捨て、新しいペットボトルを使用すればよいので、容器の洗浄や複数の容器を準備する必要がない。
また、手動操作部１２を手動操作することで農薬を噴霧するので、電池や電動モータが不要で価格が安い。しかも、噴霧した農薬が人の手に触れることがない。
【００４２】
請求項２に係る発明によれば、手動操作部１２によって杆体３３を一方向に移動することでピストン３４が一方向に摺動して第１室２０の容積が減少し、第２室２１内の容積が増加し、第１室２１内の農薬が隙間、孔３８を通って第２室２１内に流入し、その第２室２１内の農薬が内側パイプ３６を通って噴霧部１３から噴出される。
前記手動操作部１２によって杆体３３を他方向に移動することでピストン３４が他方向に摺動して第１室２０の容積が増大して容器１内の農薬が第１室２０に吸い込みされ、第２室２１の容積が減少し、その第２室２１内の農薬が内側パイプ３６を通って噴霧部１３から噴霧される。
【００４３】
請求項３に係る発明によれば、一方の手で把持部１４を把持し、他方の手で手動操作部１２を操作すれば良く、取り扱いがより一層容易である。
【００４４】
請求項４に係る発明によれば、大容量の容器１でもしっかりと支持して持ち運びができる。
【００４５】
請求項５に係る発明によれば、容器支持部４０を容器１の高さに応じて移動できるので、高さの異なる容器１をしっかりと支持して持ち運びできる。
【図面の簡単な説明】
【図１】本発明の第１の実施の形態を示す斜視図である。
【図２】縦断面図である。
【図３】図２のＡ−Ａ拡大断面図である。
【図４】本発明の第２の実施の形態を示す斜視図である。
【図５】容器支持部の取付け部分の断面図である。
【図６】本発明の第３の実施の形態を示す斜視図である。
【図７】容器連結部の横断面図である。
【符号の説明】
１…容器、２…口部、３…雄ねじ部、４…底部、１０…噴霧器、１１…本体部、１２…手動操作部、１３…噴霧部、１４…把持部、４０…容器支持部。
【図１】
0003846365.tif 000002
【図２】
0003846365.tif 000003
【図３】
0003846365.tif 000004
【図４】
0003846365.tif 000005
【図５】
0003846365.tif 000006
【図６】
0003846365.tif 000007
【図７】
0003846365.tif 000008